(57)【特許請求の範囲】
【請求項１】
青色光を放射する光源と、
光変調部と、
前記光源と前記光変調部との間に介挿され、前記光変調部を介して外部から入射した光のうち、赤色，緑色および青色光を各々透過するとともに所定の位置に穿孔部分が設けられた赤色，緑色および青色カラーフィルタと、
前記光源と前記各カラーフィルタとの間に介挿され、前記光変調部から前記光源方向に向かう光を反射するとともに前記光源から前記光変調部に向かう光を透過する半透過膜と、
前記赤色および緑色カラーフィルタの穿孔部分に各々埋設され前記青色光が放射されると各々赤色および緑色に発光する蛍光体と、
を具備することを特徴とする電気光学装置。
【請求項２】
青色光を放射する光源と、
光変調部と、
前記光源と前記光変調部との間に介挿され、前記光変調部から前記光源方向に向かう光を反射するとともに前記光源から前記光変調部に向かう光を透過する半透過膜と、
前記光変調部の観察面に設けられ、外部から入射した光のうち、赤色，緑色および青色光を各々透過するとともに所定の位置に穿孔部分が設けられた赤色，緑色および青色カラーフィルタと、
前記赤色および緑色カラーフィルタの穿孔部分に各々埋設され前記青色光が放射されると各々赤色および緑色に発光する赤色および緑色蛍光体と、
を具備することを特徴とする電気光学装置。
【請求項３】
青色光を放射する光源と、
光変調部と、
前記光源と前記光変調部との間に介挿され、前記光変調部から前記光源方向に向かう光を反射するとともに前記光源から前記光変調部に向かう光を透過する半透過膜と、
前記光変調部の観察面に設けられ、外部から入射した光のうち、赤色，緑色および青色光を各々透過するとともに所定の位置に穿孔部分が設けられた赤色，緑色および青色カラーフィルタと、
前記光変調部と前記半透過膜との間であって前記赤色および緑色カラーフィルタの穿孔部分に各々対向する位置に設けられ前記青色光が放射されると赤色および緑色に発光する赤色および緑色蛍光体と
を具備することを特徴とする電気光学装置。
【請求項４】
前記前記赤色蛍光体および前記緑色蛍光体の面積比の一方の面積を他方の面積よりも狭くしたことを特徴とする請求項１乃至３の何れかに記載の電気光学装置。
【請求項５】
前記青色カラーフィルタに設けられる穿孔部分を、前記赤色および緑色カラーフィルタに設けられる穿孔部分の何れよりも狭くしたことを特徴とする請求項１乃至３の何れかに記載の電気光学装置。
【請求項６】
請求項１乃至５の何れかに記載の電気光学装置を備えることを特徴とする電子機器。
【発明の詳細な説明】
【０００１】
【発明の属する技術分野】
本発明は、各種情報表示に用いて好適な照明装置、電気光学装置および電子機器に関する。
【０００２】
【背景技術】
電気光学装置、例えば、電気光学材料として液晶を用いた液晶パネルは、陰極線管（ＣＲＴ）に代わるディスプレイデバイスとして、各種情報処理機器の表示部や液晶テレビなどに広く用いられている。ここで、従来の電気光学装置は、例えば、次のように構成されている。すなわち、従来の電気光学装置は、マトリクス状に配列した画素電極と、この画素電極に接続されたＴＦＴ（Thin Film Transistor：薄膜トランジスタ）のようなスイッチング素子などが設けられた素子基板と、画素電極に対向する対向電極が形成された対向基板と、これら両基板との問に充填された電気光学材料たる液晶とから構成される。
【０００３】
そして、このような構成において、走査線を介してスイッチング素子に走査信号を印加すると、当該スイッチング素子が導通状態となる。この導通状態の際に、データ線を介して画素電極に、階調に応じた電圧の画像信号を印加すると、当該画素電極および対向電極の間の液晶層に画像信号の電圧に応じた電荷が蓄積される。電荷蓄積後、当該スイッチング素子をオフ状態としても、当該液晶層における電荷の蓄積は、画素電極および対向電極の容量性や蓄積容量などによって維持される。このように、各スイッチング素子を駆動させ、蓄積させる電荷量を階調に応じて制御すると、画素毎に光が変調され表示される濃度が変化することになる。このため、階調を表示することが可能となるのである。
【０００４】
この際、各画素の電極に電荷を蓄積させるのは１画面を表示するための期間に対して、その一部の期間で良いため、第１に、走査線駆動回路によって、各走査線を順次選択するとともに、第２に、その走査線の選択期間においてデータ線駆動回路によってデータ線を順次選択し、第３に、選択されたデータ線に、階調に応じた電圧の画像信号をサンプリングする構成により、走査線およびデータ線を複数の画素について共通化した時分割マルチプレックス駆動が可能となる。
【０００５】
液晶表示装置は単独では発光しないため、液晶表示装置を反射型に構成し、正面からフロントライトを照射する方法が知られている。しかし、液晶表示装置をカラー画像の表示用として用いる場合には、液晶表示装置を透過型に構成し、背面からバックライトを照射する構造が一般的である。これは、液晶表示装置にカラーフィルタを付加することによって、容易にカラー表示が可能になるためである。
【０００６】
携帯電話等、小型電子機器のバックライトとして、近年白色ＬＥＤが多用されている。ここで、白色ＬＥＤの構成を図１１を参照し説明する。白色ＬＥＤは、青色ＬＥＤ５００の表面に黄色色を発光するＹＡＧ蛍光体５１０を塗付して構成されている。すなわち、青色ＬＥＤ５００自体から放射される青色光と、ＹＡＧ蛍光体５１０から放射される黄色光とが混合され、全体として白色光が放射されるのである。
【０００７】
【発明が解決しようとする課題】
ところで、白色ＬＥＤを用いたバックライトは、発光効率を高めることが困難であるという問題があった。まず、青色ＬＥＤの発光効率は２５[ｌｍ／Ｗ]程度であるが、ＹＡＧ蛍光体を塗付して白色ＬＥＤにすると、発光効率が１５[ｌｍ／Ｗ]程度になる。さらに、白色光は、図１２に示すように、赤色（Ｒ）、緑色（Ｇ）および青色（Ｂ）光の成分から成る。ここで、例えば赤色（Ｒ）のカラーフィルタは、白色光のうち緑色（Ｇ）および青色（Ｂ）光を吸収し、赤色（Ｒ）光のみを透過させるため、光束が１／３程度に低下する。これは、他の緑色（Ｇ）および青色（Ｂ）のカラーフィルタについても同様である。
この発明は上述した事情に鑑みてなされたものであり、高い発光効率を確保でき、これによって消費電力を低減できる照明装置、電気光学装置および電子機器を提供することを目的としている。
【０００８】
【課題を解決するための手段】
上記課題を解決するため本発明にあっては、下記構成を具備することを特徴とする。なお、括弧内は例示である。
請求項１記載の電気光学装置（第２実施形態）にあっては、青色光を放射する光源（バックライト部４００）と、光変調部（１２０）と、前記光源と前記光変調部（１２０）との間に介挿され、前記光変調部（１２０）を介して外部から入射した光のうち、赤色，緑色および青色光を各々透過するとともに所定の位置に穿孔部分が設けられた赤色，緑色および青色カラーフィルタ（４２０Ｒ，４２０Ｇ，４２０Ｂ）と、前記光源と前記各カラーフィルタ（４２０Ｒ，４２０Ｇ，４２０Ｂ）との間に介挿され、前記光変調部（１２０）から前記光源方向に向かう光を反射するとともに前記光源から前記光変調部（１２０）に向かう光を透過する半透過膜と、前記赤色および緑色カラーフィルタの穿孔部分に各々埋設され前記青色光が放射されると各々赤色および緑色に発光する蛍光体（４２１Ｒ，４２１Ｇ）と、を具備することを特徴とする。
また、請求項２記載の電気光学装置（変形例(３)）にあっては、青色光を放射する光源（バックライト部４００）と、光変調部（１２０）と、前記光源（４００）と前記光変調部（１２０）との間に介挿され、前記光変調部（１２０）から前記光源方向に向かう光を反射するとともに前記光源から前記光変調部（１２０）に向かう光を透過する半透過膜と、前記光変調部（１２０）の観察面に設けられ、外部から入射した光のうち、赤色，緑色および青色光を各々透過するとともに所定の位置に穿孔部分が設けられた赤色，緑色および青色カラーフィルタ（４２０Ｒ，４２０Ｇ，４２０Ｂ）と、前記赤色および緑色カラーフィルタの穿孔部分に各々埋設され前記青色光が放射されると各々赤色および緑色に発光する赤色および緑色蛍光体（４２１Ｒ，４２１Ｇ）と、を具備することを特徴とする。
また、請求項３記載の電気光学装置（変形例(４)）にあっては、青色光を放射する光源（バックライト部４００）と、光変調部（１２０）と、前記光源と前記光変調部（１２０）との間に介挿され、前記光変調部（１２０）から前記光源方向に向かう光を反射するとともに前記光源から前記光変調部（１２０）に向かう光を透過する半透過膜（４４２）と、前記光変調部（１２０）の観察面に設けられ、外部から入射した光のうち、赤色，緑色および青色光を各々透過するとともに所定の位置に穿孔部分が設けられた赤色，緑色および青色カラーフィルタ（４４０Ｒ，４４０Ｇ，４４０Ｂ）と、前記光変調部（１２０）と前記半透過膜（４４２）との間であって前記赤色および緑色カラーフィルタの穿孔部分に各々対向する位置に設けられ前記青色光が放射されると赤色および緑色に発光する赤色および緑色蛍光体（４５０Ｒ，４５０Ｇ）とを具備することを特徴とする。
さらに、請求項４記載の構成にあっては、請求項１乃至３の何れかに記載の電気光学装置（図１３の変形例）において、前記前記赤色蛍光体（４１０Ｒ，４１０Ｒ，……）および前記緑色蛍光体（４１０Ｇ，４１０Ｇ，……）の面積比の一方の面積を他方の面積よりも狭くしたことを特徴とする。
さらに、請求項５記載の構成にあっては、請求項１乃至３の何れかに記載の電気光学装置において、前記青色カラーフィルタに設けられる穿孔部分を、前記赤色および緑色カラーフィルタに設けられる穿孔部分の何れよりも狭くしたことを特徴とする。
また、請求項６記載の電子機器にあっては、請求項１乃至５の何れかに記載の電気光学装置を備えることを特徴とする。
【０００９】
【発明の実施の形態】
1．第１実施形態
1．1．全体構成
次に、本発明の一実施形態の電気光学装置の構成を図１を参照し説明する。
図において、タイミング信号生成回路２００には、図示せぬ上位装置から垂直同期信号Ｖｓ、水平同期信号Ｈｓおよび入力階調データＤ０〜Ｄ２のドットクロック信号ＤＣＬＫが供給される。また、発振回路１５０は、読み出しタイミングの基本クロックＲＣＬＫをタイミング信号生成回路２００に供給する。タイミング信号生成回路２００は、これらの信号にしたがって、次に説明する各種のタイミング信号やクロック信号などを生成するものである。まず、交流化信号ＦＲは、１フレーム毎に極性反転する信号である。
【００１０】
駆動信号ＬＣＯＭは、対向基板の対向電極に印加される信号であり、本実施形態においては一定電位（零電位）になる。スタートパルスＤＹは、各フレームにおいて最初に出力されるパルス信号である。クロック信号ＣＬＹは、走査側（Ｙ側）の水平走査期間を規定する信号である。ラッチパルスＬＰは、水平走査期間の最初に出力されるパルス信号であって、クロック信号ＣＬＹのレベル遷移（すなわち、立ち上がりおよび立ち下がり）時に出力されるものである。クロック信号ＣＬＸは、表示用のドットクロック信号である。
【００１１】
一方、素子基板１０１上における表示領域１０１ａには、図においてＸ（行）方向に延在して複数本の走査線１１２が形成されている。また、複数本のデータ線１１４が、Ｙ（列）方向に沿って延在して形成されている。そして、画素１１０は、走査線１１２とデータ線１１４との各交差に対応して設けられて、マトリクス状に配列されている。ここで、説明の便宜上、本実施形態では、走査線１１２の総本数をｍ本とし、データ線１１４の総本数をｎ本として（ｍ、ｎはそれぞれ２以上の整数）、ｍ行×ｎ列のマトリクス型表示装置として説明する。
【００１２】
走査線駆動回路１３０は、フレームの最初に供給されるスタートパルスＤＹをクロック信号ＣＬＹにしたがって転送し、走査信号Ｇ1, Ｇ2, Ｇ3, … ,Ｇmとして走査線１１２の各々の一端に順次排他的に供給するものである。走査線駆動回路１６０もこれと同様に構成されており、走査線駆動回路１３０と同タイミングで走査線１１２の他端に走査信号Ｇ1, Ｇ2, Ｇ3, … ,Ｇmを順次排他的に供給する。なお、走査線駆動回路１３０，１６０の双方から走査信号を供給する理由は走査線１１２上の電圧降下を抑制して動作を安定させるためである。
【００１３】
次に、データ変換回路３００は、ドットクロック信号ＤＣＬＫに同期して入力される入力階調データＤ０〜Ｄ２を、クロック信号ＣＬＸに同期するアナログ信号であるデータ信号Ｄｓに変換し出力するものである。なお、データ信号Ｄｓのレベルは階調データＤ０〜Ｄ２に比例するように設定される。
【００１４】
次に、データ線駆動回路１４０は、ある水平走査期間においてデータ信号Ｄｓをデータ線１１４の本数に相当するｎ個順次サンプルホールドした後、サンプルホールドしたｎ個のデータ信号Ｄｓを、次の水平走査期間において、バッファ回路を介して、それぞれ対応するデータ線１１４にデータ信号ｄ1, ｄ2, ｄ3, …ｄnとして一斉に供給するものである。
【００１５】
1．2．電気光学装置の構造
1．2．1．液晶光変調部１２０
上述した電気光学装置の構造について、図２(a)，(b)を参照して説明する。ここで、同図(a)は、電気光学装置１００の構成を示す平面図であり、同図(b)は、同図(a)におけるＡ−Ａ´線の断面図である。これらの図に示されるように、電気光学装置１００は、画素電極１１８などが形成された素子基板１０１と、対向電極１０８などが形成された対向基板１０２とが、互いにシール材１０４によって一定の間隙を保って貼り合わせられるとともに、この間隙に電気光学材料としての液晶１０５が挟持された構造となっている。
【００１６】
なお、実際には、シール材１０４には切欠部分があって、ここを介して液晶１０５が封入された後、封止材により封止されるが、これらの図においては省略されている。ここで、素子基板１０１および対向基板１０２はガラスや石英などの非晶質基板である。そして、画素電極１１８等は、素子基板１０１に低温ポリシリコンを堆積して成るＴＦＴによって形成されている。すなわち、電気光学装置１００は、透過型として用いられることになる。
【００１７】
さて、表示領域１０１ａの外側であってシール材１０４の内側の領域のうち、図上の左辺１０１ｂおよび右辺１０１ｃに沿った長方形領域１３０ａ，１６０ａには、走査線駆動回路１３０，１６０が画素トランジスタ１１６と同様に基板上に薄膜トランジスタによって形成される。また、素子基板１０１の下辺１０１ｄは、他の辺と比較して、表示領域１０１ａからの距離が広く確保されている。
【００１８】
そして、シール材１０４と下辺１０１ｄとの間にはＩＣチップである集積回路１７０がＣＯＧ（チップオングラス）またはＴＡＢによって実装されている。また、素子基板１０１のうち対向基板１０２よりも突出している部分には、端子領域が設けられ、フレキシブルテープ電線１８０を介して外側からの制御信号や電源などが入力される。一方、対向基板１０２の対向電極１０８は、基板貼合部分における４隅のうち、少なくとも１箇所において設けられた導通材（図示省略）によって、素子基板１０１における接続端子と電気的な導通が図られている。すなわち、駆動信号ＬＣＯＭは、素子基板１０１に設けられた接続端子および導通材を介して対向電極１０８に印加される。
【００１９】
ここで、集積回路１７０は、主として単結晶シリコンによって構成されたチップ上に上記データ線駆動回路１４０、発振回路１５０、タイミング信号生成回路２００およびデータ変換回路３００を形成し、さらに該チップを樹脂で封入して成るものである。図１において説明したように、タイミング信号生成回路２００から走査線駆動回路１３０，１６０に対しては、スタートパルスＤＹおよびクロック信号ＣＬＹが供給される。ここで、集積回路１７０内の回路は、通常のデジタル集積回路と同様に、３Ｖ程度の低い電源電圧によって動作させることができるから、タイミング信号生成回路２００およびデータ線駆動回路１４０の消費電力を低く抑えることが可能である。
【００２０】
他に、素子基板１０１および対向基板１０２の電極形成面には、それぞれ所定の方向にラビング処理された配向膜（図示省略）など設けられて、電圧無印加状態における液晶分子の配向方向を規定する一方、素子基板１０１と対向基板１０２には、配向方向に応じた偏光板（図示省略）が設けられる。ただし、液晶１０５として、高分子中に微小粒として分散させた高分子分散型液晶を用いれば、前述の配向膜や偏光子などが不要となる結果、光利用効率が高まるので、高輝度化や低消費電力化などの点において有効である。電気光学装置１００のうち、以上述べた部分を、液晶光変調部１２０と呼ぶ。
【００２１】
1．2．2．バックライト部４００および蛍光体層４１０
次に、４０８は導光板であり、青色光を通過させる部材を略直方体状に形成して構成されている。導光板４０８の正面（液晶光変調部１２０に対向する面）には、青色光を拡散させる拡散板４０９が固着され、導光板４０８の背面には青色光を反射させる反射板４０７が固着されている。また、４０２，４０４，４０６は青色ＬＥＤであり、導光板４０８の上面に埋設されている。これらによってバックライト部４００が構成されており、バックライト部４００は、拡散板４０９が表示領域１０１ａに対向するように、素子基板１０１の背面に固着されている。
【００２２】
次に、４１０は蛍光体層であり、対向基板１０２の観察面側に形成されている。ここで、蛍光体層４１０の構成を図３に示す。なお、図３(a)は蛍光体層４１０の正面図であり、同図(b)はＢ−Ｂ’断面図である。図において４１０Ｒ，４１０Ｒ，……は赤色蛍光体膜であり、青色光が照射されると赤色光を放射する蛍光体を対向基板１０２に塗付して構成されている。赤色蛍光体膜４１０Ｒ，４１０Ｒ，……は画素電極１１８にほぼ等しい幅を有し、赤色表示のための画素電極１１８に対向するようにストライプ状に形成されている。
【００２３】
４１０Ｇ，４１０Ｇ，……は緑色蛍光体膜であり、青色光が照射されると緑色光を放射する蛍光体を対向基板１０２に塗付して構成されている。緑色蛍光体膜４１０Ｇ，４１０Ｇ，……は画素電極１１８にほぼ等しい幅を有し、緑色表示のための画素電極１１８に対向するようにストライプ状に形成されている。４１０Ｂ，４１０Ｂ，……は蛍光体が塗付されていない空隙部であり、これらの部分においては対向基板１０２がそのまま露出している。空隙部４１０Ｂ，４１０Ｂ，……は、青色表示のための画素電極１１８に対向する部分に形成されている。
【００２４】
上記構成において青色ＬＥＤ４０２，４０４，４０６を点灯させると、拡散板４０９から素子基板１０１に向かってほぼ均一な青色光が照射されることになる。そして、集積回路１７０に階調データＤ０〜Ｄ２、垂直同期信号Ｖｓ、水平同期信号Ｈｓおよびドットクロック信号ＤＣＬＫを供給すると、これらの信号に従って液晶１０５の各部に画素毎に電圧が印加され、各画素の透過率に応じて青色光が変調される。青色表示のための画素電極１１８において変調された青色光は、空隙部４１０Ｂ，４１０Ｂ，……を介して、青色光のまま外部に放射される。
【００２５】
また、赤色表示のための画素電極１１８において変調された青色光が赤色蛍光体膜４１０Ｒ，４１０Ｒ，……に照射されると、この青色光のレベルに応じた赤色光が該赤色蛍光体膜４１０Ｒ，４１０Ｒ，……から放射される。同様に、変調された青色光が緑色蛍光体膜４１０Ｇ，４１０Ｇ，……に照射されると、この青色光のレベルに応じた緑色光が該緑色蛍光体膜４１０Ｇ，４１０Ｇ，……から放射される。これにより、カラー画像が表示される。
【００２６】
本実施形態によれば、青色については青色ＬＥＤ４０２，４０４，４０６から放射された青色光をそのまま用いることができ、赤色および緑色光を放射する場合においても、蛍光体層４１０の直前まではこの青色光が伝搬される。従って、青色光を白色光に変換し、さらにカラーフィルタを通す従来技術と比較して、発光効率をきわめて高くすることができる。また、バックライト部４００および液晶光変調部１２０を介して伝搬される光は青色光のみであるから、従来の白色光に比較して通過帯域を狭くすることができる。
【００２７】
すなわち、白色光を伝搬するためには、この白色光の成分である赤色、緑色、青色光をバランスよく通過させる必要があるが、青色光のみを伝搬するのであれば、赤色、緑色光の特性を犠牲にしたとしても差し支え無い。従って、青色光に最適化させることにより、バックライト部４００および液晶光変調部１２０の損失をさらに減少させることができる。これにより、同一の明るさを得るために必要な電力は従来技術のものと比較して大幅に低減させることが可能である。
【００２８】
さらに、本実施形態の構成においては、蛍光体層４１０が対向基板１０２の観察面側に形成されているため、赤色光および緑色光は液晶光変調部１２０の表面から放射されることになる。従来の液晶パネルでは視野角が狭い特性を有することが問題になっていたが、本実施形態においてはこの点も改善することが可能である。但し、青色光については液晶光変調部１２０を透過した光がそのまま用いられるため、液晶光変調部１２０の視野角の影響を受けることになるが、これは液晶光変調部１２０の表面に青色光を拡散する機構を設けることにより、視野角の狭さを改善することができる。また、青色光に代えて、バックライト部４００から発光効率の高い青緑光を液晶光変調部１２０に放射し、波長をシフトさせる機構を持たせてもよい。
【００２９】
2．第２実施形態
次に、本発明の第２実施形態の電気光学装置について説明する。
携帯電話等に用いられる電気光学装置は、暗い場所で使用される場合と明るい場所で使用される場合とが考えられる。暗い場所で使用される場合には、第１実施形態において説明したように単にバックライトを点灯させるとよいが、明るい場所で使用される場合には、バックライトが周囲光よりも暗くなり、画像を視認することが困難になる。従って、このような電気光学装置においては、周囲光による反射表示と、バックライトによる透過表示とを兼ね備えたものが多用される。
【００３０】
本発明の第２実施形態の電気光学装置は、このように周囲光による反射表示と、バックライトによる透過表示とを兼ね備えたものであり、その構成を図４(a)，(b)を参照し説明する。本実施形態の電気光学装置の構成は第１実施形態のものと同様であるが、本実施形態においては蛍光体層４１０は設けられておらず、カラーフィルタ・蛍光体層４２０が液晶光変調部１２０とバックライト部４００との間に挿入されている。
【００３１】
ここで、カラーフィルタ・蛍光体層４２０の詳細を図５(a)，(b)を参照し説明する。図において４２０Ｒ，４２０Ｒ，……は赤色カラーフィルタであり、白色光が照射されると、赤色以外の成分を吸収し、赤色光を透過する。赤色カラーフィルタ４２０Ｒ，４２０Ｒ，……は、画素電極１１８にほぼ等しい幅を有し、赤色表示のための画素電極１１８に対向するようにストライプ状に形成されている。また、これら赤色カラーフィルタには、画素電極１１８に対向する部分が長方形状に穿孔されており、その穿孔された部分には赤色蛍光体膜４２１Ｒ，４２１Ｒ，……が埋設されている。
【００３２】
また、４２０Ｇ，４２０Ｇ，……は緑色カラーフィルタであり、白色光が照射されると、緑色以外の成分を吸収し、緑色光を透過する。緑色カラーフィルタ４２０Ｇ，４２０Ｇ，……は、上記赤色カラーフィルタ４２０Ｒ，４２０Ｒ，……と同様に、画素電極１１８にほぼ等しい幅を有し、緑色表示のための画素電極１１８に対向するようにストライプ状に形成されている。また、これら緑色カラーフィルタには、画素電極１１８に対向する部分が長方形状に穿孔されており、その穿孔された部分には緑色蛍光体膜４２１Ｇ，４２１Ｇ，……が埋設されている。
【００３３】
また、４２０Ｂ，４２０Ｂ，……は青色カラーフィルタであり、白色光が照射されると、青色以外の成分を吸収し、青色光を透過する。青色カラーフィルタ４２０Ｂ，４２０Ｂ，……は、上記赤色カラーフィルタ４２０Ｒ，４２０Ｒ，……と同様に、画素電極１１８にほぼ等しい幅を有し、青色表示のための画素電極１１８に対向するようにストライプ状に形成されている。また、これら青色カラーフィルタには、画素電極１１８に対向する部分が長方形状に穿孔され、貫通孔４２１Ｂ，４２１Ｂ，……が形成されている。従って、これら貫通孔からは対向基板１０２が露出している。
【００３４】
なお、カラーフィルタ４２０Ｒ，４２０Ｇ，４２０Ｂの裏面（バックライト部４００に対向する面）には、バックライト部４００から液晶光変調部１２０に向かう光は透過させる一方、外部から液晶光変調部１２０を介して入射した光は反射する半透過膜が形成されている。
【００３５】
上記構成において青色ＬＥＤ４０２，４０４，４０６を点灯させると、拡散板４０９からカラーフィルタ・蛍光体層４２０に向かってほぼ均一な青色光が照射されることになる。ここで、青色光が赤色蛍光体膜４２１Ｒ，４２１Ｒ，……に照射されると、これら赤色蛍光体膜から均一な赤色光が素子基板１０１に向かって放射される。同様に、青色光が緑色蛍光体膜４２１Ｇ，４２１Ｇ，……に照射されると、これら緑色蛍光体膜から均一な緑色光が放射される。
【００３６】
また、青色光が貫通孔４２１Ｂ，４２１Ｂ，……に照射されると、青色光はそのままこれら貫通孔を通過する。これにより、各画素電極１１８に対して、均一な赤色、緑色および青色光が照射されることになる。照射された各色の光は、液晶光変調部１２０において変調された後、対向基板１０２から放射される。従って、バックライトにより、カラー画像が表示される。
【００３７】
また、周囲光（白色光）が液晶光変調部１２０を介してカラーフィルタ・蛍光体層４２０に放射されると、各色のカラーフィルタ４２０Ｒ，４２０Ｇ，４２０Ｂにおいて赤色、緑色および青色光が各々透過され、これらの光は半透過膜によって反射される。従って、周囲光により、カラー画像が表示される。なお、周囲光の照度を測定するセンサを設け、周囲光の照度が高くなるとバックライトをオフにして消費電力を節約してもよい。逆に、周囲光の照度が高い場合であってもバックライトをオン状態に保つことによって、かかる場合の画像品質を向上させるようにしてもよい。
【００３８】
本実施形態においては、反射用のカラーフィルタと透過用の蛍光体とを同一面上に形成したため、パネルが作り易くなり、コスト低減を図ることができる。さらに、カラーフィルタの凹凸をなくし、液晶を作り込むギャップ条件が出しやすくなる。
【００３９】
3．第３実施形態
次に、本発明の第３実施形態の電気光学装置について説明する。
上記第２実施形態では、カラーフィルタ・蛍光体層４２０においてカラーフィルタ４２０Ｒ，４２０Ｇ，４２０Ｂと蛍光体膜４２１Ｒ，４２１Ｇとを同一平面上に形成したが、これらは製造プロセスが異なるため、異なる面上に形成することが好適な場合もある。そこで、本実施形態においては、両者を分離して形成することとした。
【００４０】
本実施形態の電気光学装置の構成を図６(a)，(b)を参照し説明する。本実施形態の電気光学装置の構成は第１実施形態のものと同様であるが、第１実施形態の蛍光体層４１０に代えて蛍光体層４５０が対向基板１０２上に形成されており、さらに、カラーフィルタ層４４０が液晶光変調部１２０とバックライト部４００との間に挿入されている。ここで、カラーフィルタ層４４０および蛍光体層４５０の詳細を図７(a)，(b)を参照し説明する。
【００４１】
図においてカラーフィルタ層４４０は、半透過膜４４２と、この半透過膜４４２上に形成された各色のカラーフィルタ４４０Ｒ，４４０Ｇ，４４０Ｂとから構成されている。半透過膜４４２は、バックライト部４００から液晶光変調部１２０に向かう光は透過させる一方、外部から入射した光を反射するように構成されている。カラーフィルタ４４０Ｒ，４４０Ｇ，４４０Ｂには、各々画素電極１１８に対向する部分に長方形状の貫通孔４４１Ｒ，４４１Ｇ，４４１Ｂが形成されている。すなわち、カラーフィルタ層４４０は、第２実施形態におけるカラーフィルタ・蛍光体層４２０から蛍光体膜４２１Ｒ，４２１Ｇを除去したものに等しい。
【００４２】
また、対向基板１０２上の蛍光体層４５０は、上記貫通孔４４１Ｒ，４４１Ｇ，４４１Ｂに対向する部分に、貫通孔４４１Ｒ，４４１Ｇ，４４１Ｂと同程度の大きさを有する赤および緑色の蛍光体膜４５０Ｒ，４５０Ｇを塗付することによって構成されている。なお、青色の画素に対応する蛍光体膜は設けられていない。
【００４３】
上記構成において青色ＬＥＤ４０２，４０４，４０６を点灯させると、拡散板４０９からカラーフィルタ・蛍光体層４２０に向かってほぼ均一な青色光が照射されることになる。ここで、青色光が貫通孔４４１Ｒ，４４１Ｇ，４４１Ｂを通過して液晶光変調部１２０に入射すると、青色光が液晶光変調部１２０を介して変調され、変調された青色光が対向基板１０２から放射されることになる。ここで、青色表示のための画素電極１１８において変調された青色光は、青色光のまま外部に放射される。
【００４４】
また、赤色表示のために変調された青色光が赤色蛍光体膜４５０Ｒ，４５０Ｒ，……に照射されると、この青色光のレベルに応じた赤色光が該赤色蛍光体膜から放射される。同様に、変調された青色光が緑色蛍光体膜４５０Ｇ，４５０Ｇ，……に照射されると、この青色光のレベルに応じた緑色光が該緑色蛍光体膜から放射される。従って、バックライトにより、カラー画像が表示される。
【００４５】
また、周囲光（白色光）が液晶光変調部１２０を介してカラーフィルタ層４４０に放射されると、各色のカラーフィルタ４４０Ｒ，４４０Ｇ，４４０Ｂから赤色、緑色および青色光が各々反射される。従って、周囲光により、カラー画像が表示される。本実施形態においても、第２実施形態と同様に、周囲光の照度が高くなるとバックライトをオフにして消費電力を節約してもよく、周囲光の照度が高い場合であってもバックライトをオン状態に保つことによってかかる場合の画像品質を向上させるようにしてもよい。
【００４６】
4．電子機器の具体例
4．1．モバイル型コンピュータ
次に、上述した電気光学装置を具体的な電子機器に用いた例のいくつかについて説明する。
まず、上記電気光学装置を、モバイル型のパーソナルコンピュータに適用した例について説明する。図９(a)は、このパーソナルコンピュータの構成を示す正面図である。図において、モバイル型コンピュータ５２００は、キーボード５２０２を備えた本体部５２０４と、表示ユニット５２０６とから構成されている。この表示ユニット５２０６には、先に述べた電気光学装置１００が用いられている。
【００４７】
4．2．携帯電話器
さらに、上記電気光学装置を、携帯電話器に適用した例について説明する。図９(b)は、この携帯電話器の構成を示す正面図である。図において、携帯電話器５３００は、複数の操作ボタン５３０２のほか、受話口５３０４、送話口５３０６とともに、電気光学装置１００を備えるものである。
【００４８】
4．3．その他
電子機器としては、以上説明した他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器に対して、上述した電気光学装置が適用可能な事は言うまでもない。
【００４９】
5．変形例
本発明は上述した実施形態に限定されるものではなく、例えば以下のように種々の変形が可能である。
(1)上記実施形態は、電気光学装置の一例として本発明をアクティブマトリクス型の液晶パネルに適用した例を説明したが、他のパッシブ型液晶パネルにも適用可能である。さらに、本発明の照明装置は、液晶表示器以外の各種ディスプレイ等の光源として用いてもよい。
【００５０】
(2)上記第１実施形態においては、蛍光体層４１０を対向基板１０２上に形成したが、第２実施形態のカラーフィルタ・蛍光体層４２０と同様に、液晶光変調部１２０とバックライト部４００との間に蛍光体層４１０を形成してもよい。
【００５１】
(3)また、上記第２実施形態においては、カラーフィルタ・蛍光体層４２０を液晶光変調部１２０とバックライト部４００との間に設けたが、このカラーフィルタ・蛍光体層４２０のうち半透過膜以外の部分をを第１実施形態の蛍光体層４１０と同様に対向基板１０２上に形成してもよい。但し、この場合においても、半透過膜は液晶光変調部１２０とバックライト部４００との間に設けておく必要がある。
【００５２】
(4)また、上記第３実施形態においては、カラーフィルタ層４４０のカラーフィルタ４４０Ｒ，４４０Ｇ，４４０Ｂと蛍光体層４５０の位置を逆にしてもよい。すなわち、図８に示すように、対向基板１０２の観察面上にカラーフィルタ４４０Ｒ，４４０Ｇ，４４０Ｂを設け、液晶光変調部１２０と半透過膜４４２との間に蛍光体層４５０を設けてもよい。
【００５３】
(5)上記各実施形態においては、蛍光体層４１０あるいはカラーフィルタ・蛍光体層４２０等のうち各色を構成する部分をストライプ状に配列したが、これらをモザイク状、あるいはトライアングル状等に配列しても良いことは言うまでもない。
【００５４】
(6)上記各実施形態において、バックライト部４００から液晶光変調部１２０を介して放射される青色光は、蛍光体等を介在することなく放射される光である。このため、図１０の破線に示すように、青色光は他色の光と比べて強くなり、ホワイトバランス（白色を表示しようとした時に白色が表示されること）が崩れることもある。そこで、かかる場合には、他色とのバランスが確保できるように、青色表示用の画素の開口率を他の画素の開口率よりも小さくしてもよい。これにより、図１０の実線に示すように各色の強さを均一化しホワイトバランスを確保することができる。
【００５５】
具体的には、第１実施形態においては、空隙部４１０Ｂ，４１０Ｂ，……内の破線で囲った領域Ａにおいて、ストライプ状の遮光膜を設け、空隙部４１０Ｂ，４１０Ｂ，……の幅を赤色蛍光体膜４１０Ｒ，４１０Ｒ，……あるいは緑色蛍光体膜４１０Ｇ，４１０Ｇ，……よりも狭くするとよい。また、第２および第３実施形態においては、貫通孔４２１Ｂまたは４４１Ｂの大きさを、他の色に係る貫通孔よりも小さくするとよい。
【００５６】
(7)また、赤色および緑色の発光効率は、蛍光体の材質によって変わる可能性がある。かかる場合には、赤色および緑色蛍光体の大きさもホワイトバランスを確保できるように異ならせるとよい。第１実施形態において青色表示用の画素の開口率を小さくするとともに、蛍光体膜４１０Ｒ，４１０Ｇの面積比を変更した例を図１３に示す。図３と図１３とを比較すると、図１３においては、遮光膜が形成される領域Ａは、赤色蛍光体膜４１０Ｒ，４１０Ｒ，……側にも若干突出しており、これによって赤色蛍光体膜４１０Ｒ，４１０Ｒ，……の面積は緑色蛍光体膜４１０Ｇ，４１０Ｇ，……よりも若干狭くなっている。
【００５７】
この図１３は赤色蛍光体膜４１０Ｒ，４１０Ｒ，……の方が緑色蛍光体膜４１０Ｇ，４１０Ｇ，……よりも発光効率が高いことを想定しており、ホワイトバランスが確保できるように、赤色蛍光体膜４１０Ｒ，４１０Ｒ，……の面積を狭くしたものである。逆に、赤色蛍光体膜４１０Ｒ，４１０Ｒ，……よりも緑色蛍光体膜４１０Ｇ，４１０Ｇ，……の発光効率が高い場合には、領域Ａを緑色蛍光体膜４１０Ｇ，４１０Ｇ，……側に寄せ、領域Ａを図上の緑色蛍光体膜４１０Ｇ，４１０Ｇ，……の領域に突出させるようにするとよい。
【００５８】
【発明の効果】
以上説明したように本発明によれば、青色光は光源から放射される光がそのまま用いられ、赤色光および緑色光は各々青色光が放射されると赤色および緑色に発光する蛍光体によって放射されるから、照明装置あるいは電気光学装置において高い発光効率を確保でき、これによって消費電力を低減することができる。
【図面の簡単な説明】
【図１】  本発明の各実施形態の電気光学装置の電気的構成を示すブロック図である。
【図２】  第１実施形態における電気光学装置の構造図である。
【図３】  第１実施形態における蛍光体層４１０の構造図である。
【図４】  第２実施形態における電気光学装置の構造図である。
【図５】  第２実施形態におけるカラーフィルタ・蛍光体層４２０の構造図である。
【図６】  第３実施形態における電気光学装置の構造図である。
【図７】  第３実施形態におけるカラーフィルタ層４４０および蛍光体層４５０の構造図である。
【図８】  第３実施形態の変形例におけるカラーフィルタ層４４０および蛍光体層４５０の構造図である。
【図９】  上記各実施形態の電気光学装置を適用した電子機器の例を示す図である。
【図１０】  第１実施形態の変形例における各色光のスペクトル構成を示す図である。
【図１１】  従来の白色ＬＥＤの構造図である。
【図１２】  白色ＬＥＤの発光色のスペクトル構成を示す図である。
【図１３】  第１実施形態の他の変形例における蛍光体層４１０の構造図である。
【符号の説明】
１００…電気光学装置
１０１…素子基板
１０１ａ…表示領域
１０２…対向基板
１０４…シール材
１０５…液晶
１０８…対向電極
１１０…画素
１１８…画素電極
１２０…液晶光変調部（光変調部）
１３０，１６０…走査線駆動回路
１３０ａ，１６０ａ…長方形領域
１４０…データ線駆動回路
１７０…集積回路
１８０…フレキシブルテープ電線
３００…データ変換回路
４００…バックライト部（光源）
４０２，４０４，４０６…青色ＬＥＤ
４０７…反射板
４０８…導光板
４０９…拡散板
４１０…蛍光体層
４１０Ｂ…空隙部
４１０Ｇ…緑色蛍光体膜
４１０Ｒ…赤色蛍光体膜
４２０…カラーフィルタ・蛍光体層
４２０Ｒ，４２０Ｇ，４２０Ｂ…カラーフィルタ
４２１Ｂ…貫通孔
４２１Ｇ…緑色蛍光体膜
４２１Ｒ…赤色蛍光体膜
４４０…カラーフィルタ層
４４０Ｒ，４４０Ｇ，４４０Ｂ…カラーフィルタ
４４１Ｒ，４４１Ｇ，４４１Ｂ…貫通孔
４４２…半透過膜
４５０…蛍光体層
４５０Ｇ…緑色蛍光体膜
４５０Ｒ…赤色蛍光体膜
【図１】
0003918472.tif 000002
【図２】
0003918472.tif 000003
【図３】
0003918472.tif 000004
【図４】
0003918472.tif 000005
【図５】
0003918472.tif 000006
【図６】
0003918472.tif 000007
【図７】
0003918472.tif 000008
【図８】
0003918472.tif 000009
【図９】
0003918472.tif 000010
【図１０】
0003918472.tif 000011
【図１１】
0003918472.tif 000012
【図１２】
0003918472.tif 000013
【図１３】
0003918472.tif 000014